(57)【要約】      （修正有）【課題】使い勝手の良い、建設工事における施工計画書の変更一覧表を提供する。【解決手段】建設工事における施工計画書の変更一覧表Ａは、複数の項目が縦方向に並べて記載された項目記載欄が左端に配され、項目ごとの変更内容が記載された複数の変更内容記載欄が、項目記載欄に続けて、横方向に時系列で配されている。施工計画書の変更一覧表は、変更回数に応じて横方向に展開されて、項目ごとの変更内容が一覧できるようになっている。【選択図】図１
0003215731.tif 000002
【実用新案登録請求の範囲】
【請求項１】
建設工事における施工計画書の変更一覧表であって、
変更回数に応じて横方向に展開されていき、項目ごとの変更内容が一覧できるようにされていることを特徴とする施工計画書の変更一覧表。
【請求項２】
変更後の文字、数値等の色が変更前の文字、数値等の色とは異なる色になっている、請求項１に記載の施工計画書の変更一覧表。
【考案の詳細な説明】
【技術分野】
【０００１】
本考案は、建設工事における施工計画書の変更一覧表に関する。さらに詳細には、本考案は、当初の施工計画書からの項目ごとの最新の変更内容を容易に把握することができるようにした、建設工事における施工計画書の変更一覧表に関する。
【背景技術】
【０００２】
施工計画書は、施工者（工事請負者）がそれぞれの工事において、品質確保等のために実際に施工することを具体的に記載し、その通りに施工することを約束するもので、工事の施工や施工管理の最も基本となるものである。  ところで、工事を進めるにあたっては、色々な変更が出てくる。例えば、掘削土量の変更や法面工種変更等である。そして、そのたびに施工計画書の内容も変更される（以上、例えば、非特許文献１を参照）。  従来、施主（工事発注者）から工事内容の変更の指示があった場合、あるいは、工事請負者が工事内容の変更を必要と考えた場合、工事請負者は、「工事概要」、「計画工程表」、「主要資材」、「施工方法」、「施工管理計画」等の、変わった項目だけ施工計画書を書き直し、変更後の施工計画書を工事発注者に提出し直していた。そして、工事請負者は、当初の施工計画書の上に、変更後の施工計画書を、変更があるごとに、重ねて綴じていた。
【先行技術文献】
【非特許文献】
【０００３】
【非特許文献１】施工計画書作成例（参考）、［online］、［平成２９年１０月２日検索］、インターネット〈URL:http://www.thr.mlit.go.jp/bumon/b00097/k00910/kyoutuu/H20sankou/33sankou.pdf〉
【考案の概要】
【考案が解決しようとする課題】
【０００４】
しかし、当初の施工計画書の上に、変更後の施工計画書を、変更があるごとに、重ねて綴じるようにする上記のようなやり方では、変更があるごとに重ねて綴じた変更後の施工計画書を、上から順番にめくりながらじっくり見ていかなければ、どれが最新の変更内容なのかが分からず、したがって、従来の変更後の施工計画書は、必ずしも使い勝手の良いものとは言えなかった。
【０００５】
本考案は、従来技術における前記課題を解決するためになされたものであり、使い勝手の良い、建設工事における施工計画書の変更一覧表を提供することを目的とする。
【課題を解決するための手段】
【０００６】
前記目的を達成するため、本考案に係る建設工事における施工計画書の変更一覧表の構成は、
（１）建設工事における施工計画書の変更一覧表であって、
変更回数に応じて横方向に展開されていき、項目ごとの変更内容が一覧できるようにされていることを特徴とする。
本考案において、「項目」とは、国や地方公共団体で決められる、「工事概要」、「計画工程表」、「現場組織表」、「指定機械」、「主要船舶・機械」、「主要資材」、「施工方法」、「施工管理計画」、「安全管理」、「緊急時の体制及び対応」、「交通管理」、「環境対策」、「現場作業環境の整備」、「再生資源の利用の促進と建設副産物の適正処理方法」等の項目を指している。
【０００７】
本考案の建設工事における施工計画書の変更一覧表の上記（１）の構成によれば、従来のように、変更があるごとに重ねて綴じられた変更後の施工計画書を、上から順番にめくりながらじっくり見ていかなくても、最後に綴じられた変更一覧表を横方向（左右方向）に一覧するだけで、当初の施工計画書からの項目ごとの最新の変更内容を容易に把握することができる。したがって、本考案の建設工事における施工計画書の変更一覧表の上記（１）の構成によれば、使い勝手の良い、建設工事における施工計画書の変更一覧表を提供することができる。
【０００８】
本考案の建設工事における施工計画書の変更一覧表の上記（１）の構成においては、以下の（２）のような構成にすることが好ましい。
【０００９】
（２）変更後の文字、数値等の色が変更前の文字、数値等の色とは異なる色になっている。
【００１０】
上記（２）の好ましい構成によれば、どれが変更後の文字、数値等であるかを瞬時に把握することができる。
【考案の効果】
【００１１】
本考案によれば、使い勝手の良い、建設工事における施工計画書の変更一覧表を提供することができる。
【図面の簡単な説明】
【００１２】
【図１】図１は本考案の一実施の形態における施工計画書の変更一覧表の全体構成を示す平面図である。
【図２】図２は本考案の一実施の形態における施工計画書の変更一覧表のうち、工事概要から主要資材までの、第１回変更と第２回変更の変更内容を、拡大して示した平面図である。
【図３】図３は本考案の一実施の形態における施工計画書の変更一覧表のうち、施工方法から再生資源の利用の促進と建設副産物の適正処理方法までの、第１回変更と第２回変更の変更内容を、拡大して示した平面図である。
【図４】図４は本考案の一実施の形態における施工計画書の変更一覧表のうち、工事概要から再生資源の利用の促進と建設副産物の適正処理方法までの、第３回変更の変更内容を、拡大して示した平面図である。
【考案を実施するための形態】
【００１３】
以下、好適な実施の形態を用いて本考案をさらに具体的に説明する。但し、下記の実施の形態は本考案を具現化した例に過ぎず、本考案はこれに限定されるものではない。
【００１４】
［施工計画書の変更一覧表の全体構成］
まず、本考案の一実施の形態における施工計画書の変更一覧表の全体構成について、図１を参照しながら説明する。
【００１５】
図１は本考案の一実施の形態における施工計画書の変更一覧表の全体構成を示す平面図である。
【００１６】
図１に示すように、本実施の形態の施工計画書の変更一覧表Ａは、法面対策工事における施工計画書の変更一覧表である。施工計画書の変更一覧表Ａは、変更回数に応じて横方向に展開されていき、項目ごとの変更内容が一覧できるようにされている。
なお、施工計画書に記載される「項目」は、国や地方公共団体で決められており、図１に示している「１．工事概要」、「２．計画工程表」、「３．現場組織表」、「４．指定機械」、「５．主要船舶・機械」、「６．主要資材」、「７．施工方法」、「８．施工管理計画」、「９．安全管理」、「１０．緊急時の体制及び対応」、「１１．交通管理」、「１２．環境対策」、「１３．現場作業環境の整備」、「１４．再生資源の利用の促進と建設副産物の適正処理方法」の、１４個の項目である。図１に示すように、各項目は、左端の項目記載欄Ｂに記載されている。
また、図１では、施工計画書の変更が３回行われた形となっており（第１回変更内容記載欄Ｃ、第２回変更内容記載欄Ｄ、第３回変更内容記載欄Ｅがこの順番で横方向に展開されており）、施工計画書の変更一覧表Ａが横長Ａ３サイズのコピー用紙に収まる大きさとなっている。但し、施工計画書の変更は４回、５回、・・・行われることもある。この場合には、新たな変更一覧表が横方向に展開する形で追加的に貼り合わされ、施工計画書の変更一覧表Ａが一枚の用紙で構成されるようにされている。すなわち、本実施の形態においては、施工計画書の変更履歴が一枚のあるいは複数枚貼り合わせたコピー用紙で管理される。
また、施工計画書の変更が行われるごとに、当初の施工計画書の上に変更された施工計画書（変更された部分だけ）が重ねて綴じられ、当該変更された施工計画書の上に変更一覧表Ａが重ねて綴じられる。すなわち、第１回変更がなされた時点で、第１回変更部分だけからなる施工計画書及び変更一覧表Ａが、当初の施工計画書の上に重ねて綴じられ、第２回変更がなされた時点で、第１回変更部分の一部と第２回変更部分が一緒になった施工計画書、及び、第１回変更部分と第２回変更部分が一緒になった変更一覧表Ａが、第１回変更部分だけからなる施工計画書及び変更一覧表Ａの上に重ねて綴じられ、第３回変更がなされた時点で、第１回変更部分の一部と第２回変更部分の一部と第３回変更部分が一緒になった施工計画書、及び、第１回変更部分と第２回変更部分と第３回変更部分が一緒になった変更一覧表Ａが、第１回変更部分の一部と第２回変更部分が一緒になった施工計画書、及び、第１回変更部分と第２回変更部分が一緒になった変更一覧表Ａの上に重ねて綴じられる。
【００１７】
本実施の形態の施工計画書の変更一覧表Ａの構成によれば、従来のように、変更があるごとに重ねて綴じられた変更後の施工計画書を、上から順番にめくりながらじっくり見ていかなくても、最後に綴じられた変更一覧表を横方向（左右方向）に一覧するだけで、当初の施工計画書からの項目ごとの最新の変更内容を容易に把握することができる。したがって、本実施の形態の施工計画書の変更一覧表Ａの構成によれば、使い勝手の良い、法面対策工事における施工計画書の変更一覧表を提供することができる。
【００１８】
［施工計画書の変更一覧表における項目ごとの具体的な変更内容］
次に、施工計画書の変更一覧表Ａにおける項目ごとの具体的な変更内容について、図２から図４をも参照しながら順次説明する。
【００１９】
図２は本考案の一実施の形態における施工計画書の変更一覧表のうち、工事概要から主要資材までの、第１回変更と第２回変更の変更内容を、拡大して示した平面図、図３は当該施工計画書の変更一覧表のうち、施工方法から再生資源の利用の促進と建設副産物の適正処理方法までの、第１回変更と第２回変更の変更内容を、拡大して示した平面図、図４は当該施工計画書の変更一覧表のうち、工事概要から再生資源の利用の促進と建設副産物の適正処理方法までの、第３回変更の変更内容を、拡大して示した平面図である。
【００２０】
１．工事概要
施工計画書中の「１．工事概要」には、「工事名」、「河川名（路線名）」、「工事場所」、「請負代金」、「契約年月日」、「工期」、「工事発注者」、「工事請負者」等が記載されており、工種（「法面工」など）、種別（「法枠工」など）、細別（「ラス張工」など）、数量等が記入された、工事内容を示す表等が添付されている。
図１，図２に示すように、第１回変更では、掘削土量の変更に伴い、掘削が２０７ｍ３から５３２ｍ３に変更され（図１等では、「・掘削２０７ｍ３→５３２ｍ３」等と記載  以下、同様）、積込運搬が７０１ｍ３から１，７１０ｍ３に変更されている。また、法面工種変更に伴い、ラス張工が１，１４１ｍ２から１，４６８ｍ２に変更され、吹付枠工が１，４５２ｍから１，８６８ｍに変更され、枠内植生基材が８５０ｍ２から１，０９４ｍ２に変更され、植生基材が３２７ｍ２から０ｍ２に変更されている。
同じく図１，図２に示すように、第２回変更では、工事内容の変更はなされていない。
図１，図４に示すように、第３回変更では、湧水影響範囲に対して中詰割栗石設置を適用したことに伴い、枠内植生基材吹付が１，０９４ｍ２から１，０７４ｍ２に変更され、中詰割栗石設置が０ｍ３から４ｍ３に変更されている。
なお、図１等においては、全ての文字、数値等が黒色になっているが、実際の変更一覧表では、変更後の文字、数値等は赤色になっている。これにより、どれが変更後の文字、数値等であるかを瞬時に把握することができる。また、チェック欄には、変更がなされた項目だけにチェックを入れるようにされている。これにより、変更がなされた「項目」を瞬時に把握することができる。
以上のような構成としたことにより、最後に綴じられた変更一覧表Ａの「１．工事概要」の欄を横方向（左右方向）に一覧するだけで、当初の施工計画書からの「１．工事概要」の最新の変更内容を容易に把握することができる。
【００２１】
２．計画工程表
施工計画書中の「２．計画工程表」には、各種別について作業の初めと終わりが分かるネットワーク、バーチャート等で作成された工事計画工程表が添付されている。
図１，図２に示すように、第１回変更では、実施進捗率と計画進捗率が８．２％と等しいことから、「１．工事概要」の場合と同じ数量変更がなされている。なお、工程進捗率の変更はなされていない。
同じく図１，図２に示すように、第２回変更では、梅雨時期の雨天作業中止の影響による工程見直しに伴い、進捗率が６８．０％から６２．５％に変更されている。
図１，図４に示すように、第３回変更では、工事計画工程表の変更はなされていない。
最後に綴じられた変更一覧表Ａの「２．計画工程表」の欄を横方向（左右方向）に一覧すれば、当初の施工計画書からの「２．計画工程表」の最新の変更内容を把握することができる。
【００２２】
３．現場組織表
施工計画書の「３．現場組織表」は、現場における組織の編成及び命令系統並びに業務分担が分かるように記載され、監理技術者、専門技術者を置く工事についてはそれが記載される。
図１，図２に示すように、第１回変更では、施工体制の追加変更に伴う見直しに伴い、作業主任者・資格者一覧表、施工体系図が追加変更されている（二次下請け会社：△△△△の追加）。また、○○○○工業において、××××（個人名）から▽▽▽▽（個人名）に変更されている。
同じく図１，図２に示すように、第２回変更では、現場組織表の追加変更はなされていない。
また、図１，図４に示すように、第３回変更においても、現場組織表の追加変更はなされていない。
最後に綴じられた変更一覧表Ａの「３．現場組織表」の欄を横方向（左右方向）に一覧すれば、当初の施工計画書からの「３．現場組織表」の最新の変更内容を把握することができる。
【００２３】
４．指定機械
施工計画書の「４．指定機械」には、バックホウ、空気圧縮機等の指定機械の一覧表が添付されている。
図１，図２に示すように、第１回変更では、施工方法の変更による掘削機械の変更に伴い、バックホウのバケット容量が０．４ｍ３から０．７ｍ３に変更されている。
同じく図１，図２に示すように、第２回変更では、指定機械の変更はなされていない。
また、図１，図４に示すように、第３回変更においても、指定機械の変更はなされていない。
最後に綴じられた変更一覧表Ａの「４．指定機械」の欄を横方向（左右方向）に一覧すれば、当初の施工計画書からの「４．指定機械」の最新の変更内容を把握することができる。
【００２４】
５．主要船舶・機械
施工計画書の「５．主要船舶・機械」には、計量機、発動発電機等の主要機械の一覧表が添付されている。
図１，図２に示すように、第１回変更では、施工方法の変更による動力機械の追加に伴い、発動発電機の台数が１基から３基に変更されている。
同じく図１，図２に示すように、第２回変更では、主要機械の変更はなされていない。
また、図１，図４に示すように、第３回変更においても、主要機械の変更はなされていない。
最後に綴じられた変更一覧表Ａの「５．主要船舶・機械」の欄を横方向（左右方向）に一覧すれば、当初の施工計画書からの「５．主要船舶・機械」の最新の変更内容を把握することができる。
【００２５】
６．主要資材
施工計画書の「６．主要資材」には、ラス金網、吹付金網、セメント等の規格、予定数量、搬入期間等の一覧表が添付されている。
図１，図２に示すように、第１回変更では、掘削土量の変更、及び、法面工種変更に伴い、吹付金網の予定数量が１，４５３ｍから１，８６９ｍに変更され、異形鉄筋の予定数量が６，２４０ｋｇから７，９８２ｋｇに変更され、主アンカーピンの予定数量が５３２本から６８５本に変更され、補助アンカーピンの予定数量が１，０３５本から１，３３２本に変更されている。また、セメントの予定数量が２３，２４０ｋｇから２９，８８０ｋｇに変更され、吹付砂の予定数量が５６ｍ３から７２ｍ３に変更され、緑化基盤材の予定数量が１１７，８００ｌから１０９，４００ｌに変更されている。さらに、高度化成肥料の予定数量が１７７ｋｇから１６４ｋｇに変更され、遅効性肥料の予定数量が１７７ｋｇから１６４ｋｇに変更され、フィットスペーサの予定数量が２，１１９個から１，９６９個に変更されている。
同じく図１，図２に示すように、第２回変更では、資材入荷、使用時期の変更に伴い、ラス金網一式の搬入期間が５／１５〜５／２５から５／１６〜５／２２に変更され、吹付金網一式の搬入期間が５／２５〜６／２５から５／２３〜６／２０に変更され、植生基材一式の搬入期間が７／８〜７／２０から７／１８〜７／２６に変更されている。
図１，図４に示すように、第３回変更では、植生基材の材料変更に伴い、植生基材吹付工における、緑化基盤材の予定数量が１０９，４００ｌから１０７，４００ｌに変更され、高度化成肥料の予定数量が１６４ｋｇから１６１ｋｇに変更され、遅効性肥料の予定数量が１６４ｋｇから１６１ｋｇに変更され、種子の予定数量が１．０式のまま維持され、フィットスペーサの予定数量が１，９６９個から１，９３３個に変更されている。また、中詰割栗石の材料追加に伴い、中詰割栗石設置において、割栗石の予定数量が０ｍ３から４ｍ３に変更されている。
最後に綴じられた変更一覧表Ａの「６．主要資材」の欄を横方向（左右方向）に一覧すれば、当初の施工計画書からの「６．主要資材」の最新の変更内容を把握することができる。
【００２６】
７．施工方法
施工計画書の「７．施工方法」には、施工フロー図が添付されており、各施工段階における施工実施上の留意事項及び施工方法、使用機械が記載され、工事全体に共通する、仮設備の構造、配置計画等について位置図、概略図等を用いて具体的に記載されている。
図１，図３に示すように、第１回変更では、掘削土量の変更に伴い、植生基材吹付から現場吹付法枠工に変更され、現場吹付法枠工のモルタル打設割変更に伴い、吹付日数が１２日から１５日に変更されている。また、残土処理工の詳細記載に伴い、敷均し厚さ（３０ｃｍ）、残土処理場の平面範囲図が記載された。
同じく図１，図３に示すように、第２回変更では、施工方法の変更はなされていない。
図１，図４に示すように、第３回変更では、中詰割栗石設置の追加に伴い、中詰割栗石の施工範囲と設置方法が変更されている。
最後に綴じられた変更一覧表Ａの「７．施工方法」の欄を横方向（左右方向）に一覧すれば、当初の施工計画書からの「７．施工方法」の最新の変更内容を把握することができる。
【００２７】
８．施工管理計画
施工計画書の「８．施工管理計画」は、「工程管理計画」、「品質管理計画」、「出来形管理計画」、「写真管理計画」、「段階確認計画」、「材料確認計画」、「社内検査計画」、「下請引き取り検査」からなっている。
図１，図３に示すように、第１回変更では、施工数量変更による施工管理数の変更に伴い、現場吹付法枠工の品質管理の回数が１２回から１５回に変更され、出来形管理が１５箇所から１９箇所に変更されている。また、植生基材吹付工の出来形管理が５箇所から９箇所に変更されている。
同じく図１，図３に示すように、第２回変更では、施工管理計画の変更はなされていない。
また、図１，図４に示すように、第３回変更においても、施工管理計画の変更はなされていない。
最後に綴じられた変更一覧表Ａの「８．施工管理計画」の欄を横方向（左右方向）に一覧すれば、当初の施工計画書からの「８．施工管理計画」の最新の変更内容を把握することができる。
【００２８】
９．安全管理
施工計画書の「９．安全管理」には、安全管理に必要な、それぞれの責任者や組織づくり、安全管理についての活動方針について記載されており、また、事故発生時における関係機関や被災者宅等への連絡方法や救急病院等についても記載されている。
図１，図３に示すように、第１回変更では、安全管理の変更はなされていない。
同じく図１，図３に示すように、第２回変更では、安全訓練計画の見直しに伴い、５月度は安全訓練を３業者に分けて実施するように変更されている。
図１，図４に示すように、第３回変更では、安全管理の変更はなされていない。
最後に綴じられた変更一覧表Ａの「９．安全管理」の欄を横方向（左右方向）に一覧すれば、当初の施工計画書からの「９．安全管理」の最新の変更内容を把握することができる。
【００２９】
１０．緊急時の体制及び対応
施工計画書の「１０．緊急時の体制及び対応」には、大雨、強風等の異常気象時又は地震発生時の、災害防災及び災害が発生した場合に対する、体制及び連絡系統が記載され、当該「１０．緊急時の体制及び対応」には、緊急時の体制連絡系統図、災害対策組織図、緊急連絡体制図等が添付されている。
図１，図３に示すように、第１回変更では、主任監督員の変更に伴い、主任監督員が○○主任から△△主任に変更されている。
同じく図１，図３に示すように、第２回変更では、緊急時の体制及び対応の変更はなされていない。
また、図１，図４に示すように、第３回変更においても、緊急時の体制及び対応の変更はなされていない。
最後に綴じられた変更一覧表Ａの「１０．緊急時の体制及び対応」の欄を横方向（左右方向）に一覧すれば、当初の施工計画書からの「１０．緊急時の体制及び対応」の最新の変更内容を把握することができる。
【００３０】
１１．交通管理
施工計画書の「１１．交通管理」には、工事に伴う交通処理及び交通対策について記載されており、迂回路を設ける場合には、迂回路の図面及び安全施設、案内標識の配置図並びに交通整理員等の配置について記載される。また、具体的な保安施設配置計画、市道及び出入口対策、主要機械及び主要材料の搬入・搬出経路、積載超過運搬防止対策等について記載されている。
図１，図３に示すように、第１回変更では、土捨て場の変更による運行経路の変更に伴い、運行経路図の変更（現場から○○村→現場から△△村）がなされている。
同じく図１，図３に示すように、第２回変更では、交通管理の変更はなされていない。
また、図１，図４に示すように、第３回変更においても、交通管理の変更はなされていない。
最後に綴じられた変更一覧表Ａの「１１．交通管理」の欄を横方向（左右方向）に一覧すれば、当初の施工計画書からの「１１．交通管理」の最新の変更内容を把握することができる。
【００３１】
１２．環境対策
施工計画書の「１２．環境対策」は、「総則」、「騒音・振動対策」、「大気・水質汚濁対策」、「防塵対策」、「その他」からなっている。
図１，図３に示すように、第１回変更では、粉塵発生による対策検討に伴い、粉塵対策（道路散水、集塵機の設置）が追記されている。
同じく図１，図３に示すように、第２回変更では、環境対策の変更はなされていない。
また、図１，図４に示すように、第３回変更においても、環境対策の変更はなされていない。
最後に綴じられた変更一覧表Ａの「１２．環境対策」の欄を横方向（左右方向）に一覧すれば、当初の施工計画書からの「１２．環境対策」の最新の変更内容を把握することができる。
【００３２】
１３．現場作業環境の整備
施工計画書の「１３．現場作業環境の整備」は、「現場事務所の設置」、「工事説明イメージ看板の設置」、「作業環境の整備」、「作業場内の整備」、「現場内清掃の実施」等からなっている。
図１，図３に示すように、第１回変更では、暑中時による作業環境対策の検討に伴い、暑中時の作業環境対策（休憩所のエアコンの設置、寒冷紗設備）が追記されている。
同じく図１，図３に示すように、第２回変更では、現場作業環境の整備の変更はなされていない。
また、図１，図４に示すように、第３回変更においても、現場作業環境の整備の変更はなされていない。
最後に綴じられた変更一覧表Ａの「１３．現場作業環境の整備」の欄を横方向（左右方向）に一覧すれば、当初の施工計画書からの「１３．現場作業環境の整備」の最新の変更内容を把握することができる。
【００３３】
１４．再生資源の利用の促進と建設副産物の適正処理方法
施工計画書の「１４．再生資源の利用の促進と建設副産物の適正処理方法」は、「再生資源の利用」、「建設廃棄物（コンクリート殻、廃プラ等）の適正処理」、「産業廃棄物の収集運搬」、「マニュフェストの管理」等からなっている。
図１，図３に示すように、第１回変更では、コンクリート殻の処分場の変更に伴い、産廃業者が○○産廃事業組合（距離１２ｋｍ）から△△クリーン環境（距離９ｋｍ）に変更されている。
同じく図１，図３に示すように、第２回変更では、再生資源の利用の促進と建設副産物の適正処理方法の変更はなされていない。
また、図１，図４に示すように、第３回変更においても、再生資源の利用の促進と建設副産物の適正処理方法の変更はなされていない。
最後に綴じられた変更一覧表Ａの「１４．再生資源の利用の促進と建設副産物の適正処理方法」の欄を横方向（左右方向）に一覧すれば、当初の施工計画書からの「１４．再生資源の利用の促進と建設副産物の適正処理方法」の最新の変更内容を把握することができる。
【００３４】
なお、上記実施の形態においては、法面対策工事における施工計画書の変更一覧表Ａを例に挙げて説明したが、本考案は必ずしもこのような構成に限定されるものではない。本考案の施工計画書の変更一覧表は、例えば、河川工事、湾岸工事、トンネル工事、建築工事等の他の建設工事にも適用可能である。
【００３５】
また、上記実施の形態においては、変更一覧表Ａ中の、変更後の文字、数値等が赤色になっている場合を例に挙げて説明したが、本考案は必ずしもこのような構成に限定されるものではない。変更後の文字、数値等の色を、他の文字、数値等の色（黒色）と異ならせることは任意である。また、変更後の文字、数値等の色を、他の文字、数値等の色と異ならせる場合であっても、変更後の文字、数値等の色は赤色に限定されず、例えば、青色、橙色等であってもよい。
【００３６】
また、上記実施の形態においては、コピー用紙で管理される施工計画書の変更一覧表Ａを例に挙げて説明したが、本考案は必ずしもこのような構成に限定されるものではない。本考案の施工計画書の変更一覧表は、パソコンで管理するようにしてもよい。
【符号の説明】
【００３７】
Ａ  施工計画書の変更一覧表
Ｂ  項目記載欄
Ｃ  第１回変更内容記載欄
Ｄ  第２回変更内容記載欄
Ｅ  第３回変更内容記載欄
【図１】
0003215731.tif 000003
【図２】
0003215731.tif 000004
【図３】
0003215731.tif 000005
【図４】
0003215731.tif 000006
【手続補正書】
【提出日】平成30年1月31日(2018.1.31)
【手続補正１】
【補正対象書類名】実用新案登録請求の範囲
【補正対象項目名】全文
【補正方法】変更
【補正の内容】
【実用新案登録請求の範囲】
【請求項１】
建設工事における施工計画書の変更一覧表であって、
複数の項目が縦方向に並べて記載された項目記載欄が前記変更一覧表の左端に配され、
項目ごとの変更内容が記載された複数の変更内容記載欄が、前記項目記載欄に続けて、前記変更一覧表の横方向に時系列で配されていることを特徴とする施工計画書の変更一覧表。
【請求項２】
変更後の文字、数値の色が変更前の文字、数値の色とは異なる色になっている、請求項１に記載の施工計画書の変更一覧表。
【手続補正２】
【補正対象書類名】明細書
【補正対象項目名】０００６
【補正方法】変更
【補正の内容】
【０００６】
前記目的を達成するため、本考案に係る建設工事における施工計画書の変更一覧表の構成は、
（１）建設工事における施工計画書の変更一覧表であって、
複数の項目が縦方向に並べて記載された項目記載欄が前記変更一覧表の左端に配され、
項目ごとの変更内容が記載された複数の変更内容記載欄が、前記項目記載欄に続けて、前記変更一覧表の横方向に時系列で配されていることを特徴とする。
本考案において、「項目」とは、国や地方公共団体で決められる、「工事概要」、「計画工程表」、「現場組織表」、「指定機械」、「主要船舶・機械」、「主要資材」、「施工方法」、「施工管理計画」、「安全管理」、「緊急時の体制及び対応」、「交通管理」、「環境対策」、「現場作業環境の整備」、「再生資源の利用の促進と建設副産物の適正処理方法」等の項目を指している。
【手続補正３】
【補正対象書類名】明細書
【補正対象項目名】０００９
【補正方法】変更
【補正の内容】
【０００９】
（２）変更後の文字、数値の色が変更前の文字、数値の色とは異なる色になっている。
【手続補正４】
【補正対象書類名】明細書
【補正対象項目名】００１０
【補正方法】変更
【補正の内容】
【００１０】
上記（２）の好ましい構成によれば、どれが変更後の文字、数値であるかを瞬時に把握することができる。